(57)【要約】  多チャンネル信号のパラメトリックダウンミックスからヘッドホン用ダウンミックス信号を効率的に導出するために、多チャンネル信号の２つのチャンネル間のレベル関係についての情報を有するレベルパラメータを使用して、多チャンネル信号のＨＲＴＦから修正ＨＲＴＦを求める。その際、修正ＨＲＴＦが低レベルのチャンネルのＨＲＴＦよりも高レベルのチャンネルのＨＲＴＦに強く影響されるようにする。復号化のプロセスの中で、修正ＨＲＴＦがＨＲＴＦに関連するチャンネルの相対強度を考慮に入れて導出される。このようにＨＲＴＦを変形することで、多チャンネル信号のパラメトリックダウンミックス信号を、このパラメトリックダウンミックスの完全なパラメトリック多チャンネルを途中で再構成する必要がなく、ヘッドホン用ダウンミックス信号を合成するために直接使用できるようになる。【選択図】  図８
2009531886.tif 000002
【特許請求の範囲】
【請求項１】
多チャンネル信号のダウンミックスの表現（３１２）と、前記多チャンネル信号の２つのチャンネル間のレベルの関係についての情報を有するレベルパラメータ（３０６）と、前記多チャンネル信号の前記２つのチャンネルに関する頭部伝達関数（３０８）とを使用して、ヘッドホン用ダウンミックス信号（３１４）を導出するための復号器であって、
前記レベルパラメータ（３０６）を使用して前記２つのチャンネルの頭部伝達関数（３０８）を重み付けすることによって修正頭部伝達関数（３１０）を導出するフィルタ計算器（３０２）であって、修正頭部伝達関数（３１０）が前記２つのチャンネルの低レベルのチャンネルの頭部伝達関数（３０８）よりも高レベルのチャンネルの頭部伝達関数（３０８）に強く影響されるように、前記修正頭部伝達関数（３１０）を導出するフィルタ計算器（３０２）と、
前記修正頭部伝達関数（３１０）と前記ダウンミックス信号の表現（３１２）とを使用して前記ヘッドホン用ダウンミックス信号（３１４）を導出する合成器（３０４）と、
を備えている復号器。
【請求項２】
前記低レベルのチャンネルの頭部伝達関数（３０８）が前記高レベルのチャンネルの頭部伝達関数（３０８）よりも２つのチャンネルの頭部伝達関数（３０８）の平均位相へと近くシフトされるように、２つのチャンネルの頭部伝達関数（３０８）に対して位相シフトをさらに適用することで、前記フィルタ計算器（３０２）が修正頭部伝達関数（３１０）を導出する、請求項１に記載の復号器。
【請求項３】
前記フィルタ計算器（３０２）は、導出される前記修正頭部伝達関数（３１０）の数が、前記２つのチャンネルに関する頭部伝達関数（３０８）の数よりも少なくなるように動作する、請求項１に記載の復号器。
【請求項４】
前記フィルタ計算器（３０２）は、前記ダウンミックス信号のフィルタバンク表現へと適用される前記修正頭部伝達関数（３１０）を導出する、請求項１に記載の復号器。
【請求項５】
フィルタバンクドメインにおいて導出された前記ダウンミックス信号の表現を使用するように構成されている、請求項１に記載の復号器。
【請求項６】
前記フィルタ計算器（３０２）は、４つ以上のパラメータによって特徴付けられる頭部伝達関数（３０８）を使用して修正頭部伝達関数（３１０）を導出する、請求項１に記載の復号器。
【請求項７】
前記フィルタ計算器（３０２）は、同じレベルパラメータ（３０６）を使用して前記２つのチャンネルの前記頭部伝達関数（３０８）のための重み付け係数を導出する、請求項１に記載の復号器。
【請求項８】
前記フィルタ計算器（３０２）は、第１のチャンネルｆのための第１の重み付け係数ｗlf及び第２のチャンネルｓのための第２の重み付け係数ｗlsを、レベルパラメータＣＬＤlを使用して以下の式
【数７】
2009531886.tif 000030
に従って導出する、請求項７に記載の復号器。
【請求項９】
前記フィルタ計算器（３０２）は、前記修正頭部伝達関数（３１０）を導出するときにエネルギーが保存されるように前記２つのチャンネルの頭部伝達関数（３０８）に対して共通のゲイン係数を適用することで前記修正頭部伝達関数（３１０）を導出する、請求項１に記載の復号器。
【請求項１０】
前記共通のゲイン係数が間隔
【数２８】
2009531886.tif 000031
の範囲内にある、請求項９に記載の復号器。
【請求項１１】
前記フィルタ計算器（３０２）は、前記２つのチャンネルの頭部伝達関数（３０８）のインパルス応答間の遅延時間を使用して前記平均位相を導出する、請求項２に記載の復号器。
【請求項１２】
前記フィルタ計算器（３０２）は、ｎ個の周波数帯域を有するフィルタバンクドメインにおいて、前記遅延時間を使用してそれぞれの周波数帯域について個々の平均位相シフトを導出する、請求項１１に記載の復号器。
【請求項１３】
前記フィルタ計算器（３０２）が、３つ以上の周波数帯域を有するフィルタバンクドメインにおいて、前記遅延時間τXYを使用してそれぞれの周波数帯域について個々の平均位相シフトφXYを、以下の式
【数９】
2009531886.tif 000032
に従って導出する、請求項１１に記載の復号器。
【請求項１４】
前記フィルタ計算器（３０２）が、第１及び第２のチャンネルの頭部伝達関数（３０８）のインパルス応答の間の正規化された複素相関の位相角を使用して、前記平均位相を導出する請求項２に記載の復号器。
【請求項１５】
前記２つのチャンネルのうちの第１のチャンネルが多チャンネル信号の左側又は右側の前チャンネルであり、前記２つのチャンネルのうちの第２のチャンネルが同じ側の後チャンネルである、請求項１に記載の復号器。
【請求項１６】
前記フィルタ計算器が、前記前チャンネルの頭部伝達関数ＨY(Ｘf)及び前記後チャンネルの頭部伝達関数ＨY(Ｘs)を使用し、以下の複素線形結合
【数６】
2009531886.tif 000033
を使用して前記修正頭部伝達関数ＨY(Ｘ)（３１０）を導出し、ここで、φXYは平均位相であり、ｗs及びｗfはレベルパラメータ（３０６）を使用して導出される重み付け係数であり、ｇはレベルパラメータ（３０６）を使用して導出される共通ゲイン係数である、請求項１５に記載の復号器。
【請求項１７】
左前、左サラウンド、右前、右サラウンド及び中央チャンネルを有する多チャンネル信号から導出された左及び右チャンネルを有するダウンミックス信号の表現（３１２）を使用する、請求項１に記載の復号器。
【請求項１８】
前記合成器が、前記多チャンネル信号のダウンミックスの表現（３１２）に対して、前記修正頭部伝達関数（３１０）の線形結合を適用することで、前記ヘッドホン用ダウンミックス信号（３１４）のチャンネルを導出する、請求項１に記載の復号器。
【請求項１９】
前記合成器が前記レベルパラメータ（３０６）に依存する前記線形結合のための係数を使用する、請求項１８に記載の復号器。
【請求項２０】
前記合成器（３０４）が、前記多チャンネル信号の追加の空間特性に関する追加の多チャンネルパラメータに依存する前記線形結合のための係数を使用する、請求項１８に記載の復号器。
【請求項２１】
請求項１に記載の復号器と、
多チャンネル信号のダウンミックスのサブバンドフィルタ処理によって前記多チャンネル信号のダウンミックスの表現（３１２）を導出するための分析フィルタバンク（４０２）と、
前記ヘッドホン用ダウンミックス信号（３１４）を合成することによって時間ドメインのヘッドホン信号を導出するための合成フィルタバンク（４０４）と、
を備えているバイノーラル復号器。
【請求項２２】
多チャンネル信号のダウンミックスの表現（３１２）と、前記多チャンネル信号の２つのチャンネル間のレベルの関係についての情報を有するレベルパラメータ（３０６）と、前記多チャンネル信号の前記２つのチャンネルに関するクロストーク打ち消しフィルタとを使用して、空間ステレオダウンミックス信号を導出するための復号器であって、
前記レベルパラメータ（３０６）を使用して前記２つのチャンネルの前記クロストーク打ち消しフィルタを重み付けすることによって修正クロストーク打ち消しフィルタを導出するフィルタ計算器（３０２）であって、修正クロストーク打ち消しフィルタが前記２つのチャンネルの低レベルのチャンネルのクロストーク打ち消しフィルタよりも高レベルのチャンネルのクロストーク打ち消しフィルタに強く影響されるように、前記修正クロストーク打ち消しフィルタを導出するフィルタ計算器（３０２）と、
前記修正クロストーク打ち消しフィルタと前記ダウンミックス信号の表現（３１２）とを使用して前記空間ステレオダウンミックス信号を導出する合成器（３０４）と、
を備えている復号器。
【請求項２３】
多チャンネル信号のダウンミックスの表現（３１２）と、前記多チャンネル信号の２つのチャンネル間のレベルの関係についての情報を有するレベルパラメータ（３０６）と、多チャンネル信号の２つのチャンネルに関する頭部伝達関数（３０８）とを使用して、ヘッドホン用ダウンミックス信号（３１４）を導出する方法であって、
前記レベルパラメータ（３０６）を使用して前記２つのチャンネルの頭部伝達関数（３０８）を重み付けすることによって修正頭部伝達関数（３１０）を導出するステップであって、修正頭部伝達関数が前記２つのチャンネルの低レベルのチャンネルの頭部伝達関数よりも高レベルのチャンネルの頭部伝達関数に強く影響されるように、修正頭部伝達関数（３１０）を導出するステップと、
前記修正頭部伝達関数（３１０）と前記ダウンミックス信号の表現とを使用して前記ヘッドホン用ダウンミックス信号（３１４）を導出するステップと、
を含む方法。
【請求項２４】
多チャンネル信号のダウンミックスの表現（３１２）と、前記多チャンネル信号の２つのチャンネル間のレベルの関係についての情報を有するレベルパラメータ（３０６）と、多チャンネル信号の２つのチャンネルに関する頭部伝達関数（３０８）とを使用して、ヘッドホン用ダウンミックス信号（３１４）を導出するための復号器を備える受信器又はオーディオプレーヤであって、
前記レベル・パラメータ（３０６）を使用して前記２つのチャンネルの頭部伝達関数（３０８）を重み付けすることによって修正頭部伝達関数（３１０）を導出するフィルタ計算器であって、修正頭部伝達関数が前記２つのチャンネルの低レベルのチャンネルの頭部伝達関数よりも高レベルのチャンネルの頭部伝達関数に強く影響されるように、修正頭部伝達関数（３１０）を導出するフィルタ計算器と、
前記修正頭部伝達関数（３１０）と前記ダウンミックス信号の表現とを使用して前記ヘッドホン用ダウンミックス信号（３１４）を導出する合成器と、
を備えている受信器又はオーディオプレーヤ。
【請求項２５】
多チャンネル信号のダウンミックスの表現（３１２）と、前記多チャンネル信号の２つのチャンネル間のレベルの関係についての情報を有するレベルパラメータ（３０６）と、多チャンネル信号の２つのチャンネルに関する頭部伝達関数（３０８）とを使用して、ヘッドホン用ダウンミックス信号（３１４）を導出するための方法であって、
前記レベル・パラメータ（３０６）を使用して前記２つのチャンネルの頭部伝達関数（３０８）を重み付けすることによって修正頭部伝達関数（３１０）を導出するステップであって、修正頭部伝達関数が前記２つのチャンネルの低レベルのチャンネルの頭部伝達関数よりも高レベルのチャンネルの頭部伝達関数に強く影響されるように、修正頭部伝達関数（３１０）を導出するステップと、
前記修正頭部伝達関数（３１０）と前記ダウンミックス信号の表現とを使用して前記ヘッドホン用ダウンミックス信号（３１４）を導出するステップと、
を含む受信又はオーディオ再生の方法。
【請求項２６】
コンピュータ上で動作するときに、
多チャンネル信号のダウンミックスの表現（３１２）と、前記多チャンネル信号の２つのチャンネル間のレベルの関係についての情報を有するレベルパラメータ（３０６）と、、多チャンネル信号の２つのチャンネルに関する頭部伝達関数（３０８）とを使用して、ヘッドホン用ダウンミックス信号（３１４）を導出するための方法であって、
前記レベル・パラメータ（３０６）を使用して前記２つのチャンネルの頭部伝達関数（３０８）を重み付けすることによって修正頭部伝達関数（３１０）を導出するステップであって、修正頭部伝達関数が前記２つのチャンネルの低レベルのチャンネルの頭部伝達関数よりも高レベルのチャンネルの頭部伝達関数に強く影響されるように、修正頭部伝達関数（３１０）を導出するステップと、
前記修正頭部伝達関数（３１０）と前記ダウンミックス信号の表現とを使用して前記ヘッドホン用ダウンミックス信号（３１４）を導出するステップと、
を含む方法を実行するプログラム・コードを有するコンピュータ・プログラム。
【請求項２７】
コンピュータ上で動作するときに、
多チャンネル信号のダウンミックスの表現（３１２）と、前記多チャンネル信号の２つのチャンネル間のレベルの関係についての情報を有しているレベル・パラメータ（３０６）と、多チャンネル信号の２つのチャンネルに関する頭部伝達関数（３０８）とを使用して、ヘッドホン用ダウンミックス信号（３１４）を導出するための方法であって、
前記レベル・パラメータ（３０６）を使用して前記２つのチャンネルの頭部伝達関数（３０８）を重み付けすることによって修正頭部伝達関数（３１０）を導出するステップであって、修正頭部伝達関数が前記２つのチャンネルの低レベルのチャンネルの頭部伝達関数よりも高レベルのチャンネルの頭部伝達関数に強く影響されるように、修正頭部伝達関数（３１０）を導出するステップと、
前記修正頭部伝達関数（３１０）と前記ダウンミックス信号の表現とを使用して前記ヘッドホン用ダウンミックス信号（３１４）を導出するステップと、
を含む受信又はオーディオ再生の方法を実行するプログラム・コードを有するコンピュータ・プログラム。
【発明の詳細な説明】
【技術分野】
【０００１】
本発明は、パラメトリック多チャンネルの表現に基づいて符号化された多チャンネル・オーディオ信号を復号化することに関し、特に、例えばヘッドホン互換のダウンミックス又は２スピーカ環境のための空間ダウンミックスとして、空間的聴取体験を提供する２チャンネルのダウンミックスを生成することに関する。
【背景技術】
【０００２】
オーディオ符号化における近年の発展により、ステレオ（又はモノラル）信号及び相応の制御データに基づいてオーディオ信号の多チャンネルの表現を再生する能力が利用可能となった。これらの方法は、伝送されるモノラル又はステレオ・チャンネルに基づくサラウンド・チャンネルの再生（アップミックスとも称される）を制御するために追加の制御データが伝送されるため、ドルビー・プロロジックなどの旧来の行列ベースの技術的解決策とは大きく異なっている。
【０００３】
例えばＭＰＥＧサラウンドなどのパラメトリック多チャンネル・オーディオ復号器の場合、伝送されてくるＭ個のチャンネル及び追加の制御データに基づいて、Ｎ個（ここで、Ｎ＞Ｍ）のチャンネルを再生する。追加の制御データのデータ・レートは、Ｎ個のチャンネルのすべてを伝送するよりも大幅に低く、符号化をきわめて効率的にすると同時に、Ｍチャンネルの装置及びＮチャンネルの装置の両方との互換性を保証している。
【０００４】
これらのパラメトリックサラウンド符号化方法は、通常は、ＩＩＤ（チャンネル間強度差）あるいはＣＬＤ（チャンネル・レベル差）及びＩＣＣ（チャンネル間コヒーレンス）に基づくサラウンド信号のパラメータ化を含んでいる。これらのパラメータは、アップミックス・プロセスにおけるチャンネル・ペア間のパワー比及び相関関係を表わしている。さらに、従来技術において使用されるさらなるパラメータとして、アップミックスの手順の際に中間又は出力チャンネルを予測するために使用される予測パラメータが挙げられる。
【０００５】
多チャンネル・オーディオ・コンテンツの再生の他の発展により、ステレオ・ヘッドホンを使用して空間的リスニングの印象を得るための手段が提供されている。ヘッドホンの２つのスピーカのみを使用して空間的聴取体験を達成するために、空間的聴取体験をもたらすための人間の頭部のきわめて複雑な伝達特性を考慮に入れるように意図されたＨＲＴＦ（頭部伝達関数）を使用して、多チャンネルの信号がステレオ信号へとダウンミックスされる。
【０００６】
他の関連する手法は、従来からの２チャンネル再生環境を使用し、多チャンネル・オーディオ信号のチャンネルを適切なフィルタでフィルタ処理し、元の数のスピーカでの再生に近い聴取体験を達成することである。信号の処理は、所望の特性を有する適切な「空間ステレオ・ダウンミックス」を生成するためのヘッドホン再生の場合と同様である。ヘッドホンの場合とは対照的に、両方のスピーカの信号が直接的に聴取者の両耳に届くために、望ましくない「クロストーク作用」を生じさせる。最適な再生品質を得るためには、この作用を考慮しなければならず、この信号処理に使用されるフィルタは、一般に「クロストーク打ち消しフィルタ」と呼ばれる。一般に、この技法の目的は、複素クロストーク打ち消しフィルタを使用して、生来のクロストークを打ち消すことによって、ステレオ・スピーカ・ベースの外側へと音源の範囲を広げることにある。
【０００７】
複雑なフィルタ処理のため、ＨＲＴＦフィルタはきわめて長く、すなわち数百ものフィルタ・タップをそれぞれ有する可能性がある。同じ理由により、実際のフィルタの代わりに使用されたときに、知覚品質を劣化させぬように充分に上手く機能するフィルタのパラメータを見つけることは、ほとんど不可能である。
【０００８】
このように、一方では、多チャンネル信号について、符号化後の多チャンネル信号を効率的に伝送できるようにするビット節約型のパラメータ表現が存在する。他方では、ステレオヘッドホン又はステレオスピーカのみを使用したときに、多チャンネル信号のための空間的聴取体験を生成する明快な方法が知られている。しかしながら、これらの方法は、ヘッドホン用ダウンミックス信号を生成する頭部伝達関数を適用するための入力として、多チャンネル信号の全数のチャンネルを必要とする。したがって、頭部伝達関数又はクロストーク打ち消しフィルタの適用前に、多チャンネル信号の一式すべてが伝送されなければならず、あるいはパラメータ表現が完全に再生されなければならず、結果として伝送帯域又は演算の複雑さが容認し難いほどに高くなる。
【発明の開示】
【発明が解決しようとする課題】
【０００９】
本発明の目的は、多チャンネル信号のパラメータ表現を使用して、空間的聴取体験をもたらす２チャンネル信号のより効率的な再生を可能にする概念を提供することにある。
【課題を解決するための手段】
【００１０】
本発明の第１の態様によれば、この目的は、
多チャンネル信号のダウンミックスの表現と、多チャンネル信号の２つのチャンネル間のレベルの関係についての情報を有しているレベルパラメータと、多チャンネル信号の２つのチャンネルに関する頭部伝達関数とを使用して、ヘッドホン用ダウンミックス信号を導出するための復号器であって、
前記レベルパラメータを使用して前記２つのチャンネルの頭部伝達関数を重み付けすることによって修正頭部伝達関数を導出するフィルタ計算器であって、修正頭部伝達関数が、前記２つのチャンネルの低レベルのチャンネルの頭部伝達関数よりも、高レベルのチャンネルの頭部伝達関数に強く影響されるように、修正頭部伝達関数を導出するフィルタ計算器と、
前記修正頭部伝達関数及び前記ダウンミックス信号の表現を使用して前記ヘッドホン用ダウンミックス信号を導出する合成器と、
を備えた復号器によって達成される。
【００１１】
本発明の第２の態様によれば、前記目的は、
多チャンネル信号のダウンミックスの表現と、多チャンネル信号の２つのチャンネル間のレベルの関係についての情報を有しているレベルパラメータと、多チャンネル信号の２つのチャンネルに関する頭部伝達関数とを使用して、ヘッドホン用ダウンミックス信号を導出するための復号器であって、
前記レベルパラメータを使用して前記２つのチャンネルの頭部伝達関数を重み付けすることによって修正頭部伝達関数を導出するフィルタ計算器であって、修正頭部伝達関数が、前記２つのチャンネルの低レベルのチャンネルの頭部伝達関数よりも、高レベルのチャンネルの頭部伝達関数に強く影響されるように、修正頭部伝達関数を導出するフィルタ計算器と、
前記修正頭部伝達関数及び前記ダウンミックス信号の表現を使用して前記ヘッドホン用ダウンミックス信号を導出する合成器と、
を備えた復号器、
・多チャンネル信号のダウンミックスのサブバンドフィルタ処理によって、前記多チャンネル信号のダウンミックスの表現を導出するための分析フィルタバンク、及び
・前記ヘッドホン用ダウンミックス信号を合成することによって時間ドメインのヘッドホン信号を導出するための合成フィルタバンク、
を有しているバイノーラル復号器によって達成される。
【００１２】
本発明の第３の態様によれば、前記目的は、
多チャンネル信号のダウンミックスの表現と、多チャンネル信号の２つのチャンネル間のレベルの関係についての情報を有しているレベルパラメータと、多チャンネル信号の２つのチャンネルに関する頭部伝達関数とを使用して、ヘッドホン用ダウンミックス信号を導出する方法であって、
・前記レベルパラメータを使用し、前記２つのチャンネルの頭部伝達関数を重み付けすることによって修正頭部伝達関数を導出するステップであって、修正頭部伝達関数が、前記２つのチャンネルの低レベルのチャンネルの頭部伝達関数よりも、高レベルのチャンネルの頭部伝達関数に強く影響されるように、修正頭部伝達関数を導出するステップと、
・前記修正頭部伝達関数及び前記ダウンミックス信号の表現を使用して、前記ヘッドホン用ダウンミックス信号を導出するステップと、
を含む方法によって達成される。
【００１３】
本発明の第４の態様によれば、前記目的が、
多チャンネル信号のダウンミックスの表現と、多チャンネル信号の２つのチャンネル間のレベルの関係についての情報を有しているレベルパラメータと、多チャンネル信号の２つのチャンネルに関する頭部伝達関数とを使用して、ヘッドホン用ダウンミックス信号を導出するための復号器を有している受信器又はオーディオプレーヤであって、
・前記レベルパラメータを使用して前記２つのチャンネルの頭部伝達関数を重み付けすることによって修正頭部伝達関数を導出するフィルタ計算器であって、修正頭部伝達関数が、前記２つのチャンネルの低レベルのチャンネルの頭部伝達関数よりも、高レベルのチャンネルの頭部伝達関数に強く影響されるように、修正頭部伝達関数を導出するフィルタ計算器と、
・前記修正頭部伝達関数及び前記ダウンミックス信号の表現を使用して、前記ヘッドホン用ダウンミックス信号を導出する合成器と、
を備えた受信器又はオーディオプレーヤによって達成される。
【００１４】
本発明の第５の態様によれば、前記目的が、
多チャンネル信号のダウンミックスの表現と、多チャンネル信号の２つのチャンネル間のレベルの関係についての情報を有しているレベルパラメータと、多チャンネル信号の２つのチャンネルに関する頭部伝達関数とを使用して、ヘッドホン用ダウンミックス信号を導出するための方法であって、
前記レベルパラメータを使用し、前記２つのチャンネルの頭部伝達関数を重み付けすることによって修正頭部伝達関数を導出するステップであって、修正頭部伝達関数が、前記２つのチャンネルの低レベルのチャンネルの頭部伝達関数よりも、高レベルのチャンネルの頭部伝達関数に強く影響されるように、修正頭部伝達関数を導出するステップと、
前記修正頭部伝達関数及び前記ダウンミックス信号の表現を使用して、前記ヘッドホン用ダウンミックス信号を導出するステップと、
を含む方法を有している受信又はオーディオ再生の方法によって達成される。
【００１５】
本発明の第６の態様によれば、前記目的が、
多チャンネル信号のダウンミックスの表現と、多チャンネル信号の２つのチャンネル間のレベルの関係についての情報を有しているレベルパラメータと、多チャンネル信号の２つのチャンネルに関するクロストーク打ち消しフィルタとを使用して、空間ステレオダウンミックス信号を導出するための復号器であって、
前記レベルパラメータを使用して前記２つのチャンネルのクロストーク打ち消しフィルタを重み付けすることによって修正クロストーク打ち消しフィルタを導出するフィルタ計算器であって、修正クロストーク打ち消しフィルタが、前記２つのチャンネルの低レベルのチャンネルのクロストーク打ち消しフィルタよりも、高レベルのチャンネルのクロストーク打ち消しフィルタに強く影響されるように、修正クロストーク打ち消しフィルタを導出するフィルタ計算器と、
前記修正クロストーク打ち消しフィルタ及び前記ダウンミックス信号の表現を使用して前記空間ステレオ・ダウンミックス信号を導出する合成器と、
を有する復号器によって達成される。
【００１６】
本発明は次の知見に基づいている。即ち、多チャンネル信号の元のＨＲＴＦ（頭部伝達関数）から修正ＨＲＴＦを導出するためにフィルタ計算器が使用される。このフィルタ計算器は、多チャンネル信号の２つのチャンネル間のレベル関係の情報を有するレベルパラメータを用い、修正ＨＲＴＦが低レベルのチャンネルのＨＲＴＦに比べて高レベルのチャンネルのＨＲＴＦに強く影響を受けるように、修正ＨＲＴＦを導出する。この修正ＨＲＴＦを用いることで、多チャンネル信号のパラメトリックダウンミックスからヘッドホン用ダウンミックス信号を導出できるという知見である。修正ＨＲＴＦは、復号化の過程において、ＨＲＴＦに関連するチャンネル間の相対強度を考慮に入れて導出される。このようにして元のＨＲＴＦが修正され、多チャンネル信号のダウンミックス信号のパラメトリック表現が、当該パラメトリックダウンミックス信号の完全なパラメトリック多チャンネルの再構成を必要とせずに、ヘッドホン用ダウンミックス信号の合成に直接的に使用される。
【００１７】
本発明の一実施の形態においては、本発明の復号器が使用され、パラメトリック多チャンネルの再生と、元の多チャンネル信号について伝送されたパラメトリックダウンミックスの本発明のバイノーラル再生とが実現される。本発明によれば、バイノーラル・ダウンミキシングに先立って多チャンネル信号を完全に再生する必要がなく、演算の複雑さが大幅に低減されるという大きな利点を有することが明らかである。これにより、例えば、限られたエネルギーの蓄えしか持たない携帯型の装置において、再生時間を大幅に延長することができる。さらなる利点は、同じ装置が、完全な多チャンネルの信号（例えば、５．１、７．１、７．２の信号）を提供し、かつスピーカが２つしかないヘッドホンが使用される場合であっても空間的聴取体験を有する信号のバイノーラル・ダウンミックスを提供できる点にある。これは、例えば家庭内娯楽形態においてきわめて好都合であろう。
【００１８】
本発明のさらなる実施の形態においては、フィルタ計算器が、修正ＨＲＴＦを導出するために使用され、ＨＲＴＦへと個々の重み付け係数を適用することによって２つのチャンネルのＨＲＴＦを結合するように動作できるだけでなく、結合される各ＨＲＴＦについて追加の位相係数を導入することができる。位相係数の導入は、２つのフィルタの遅延補償をＨＲＴＦの重ね合わせ又は結合に先立って達成できるという利点を有している。この利点は、前後のスピーカの間の中間位置に対応する主遅延時間をモデル化する組み合わせ応答をもたらす。
【００１９】
第２の利点は、エネルギーの保存を確保するためにフィルタの結合の際に適用されるべきゲイン係数が、その周波数につれての挙動に関して、位相係数を導入しない場合に比べてはるかに安定的になる点にある。本発明の実施の形態によれば、ヘッドホン用ダウンミックス信号を導出するために、多チャンネル信号のダウンミックスの表現がフィルタバンクドメインにおいて処理されるため、この利点は本発明の概念にとって特に有意義である。すなわち、ダウンミックス信号の表現の個々の周波数帯域が別個に処理されるため、個々に適用されるゲイン関数の滑らかな挙動がきわめて重要である。
【００２０】
本発明のさらなる実施の形態においては、頭部伝達関数はサブバンド・ドメインのサブバンドフィルタへと変換されるが、この時、サブバンド・ドメインにおいて使用される修正ＨＲＴＦの総数が元のＨＲＴＦの総数よりも少なくなるように変換される。この変換は、ヘッドホン用ダウンミックス信号を導出するための演算の複雑さが、標準的なＨＲＴＦフィルタを使用するダウンミキシングに比べてさらに少なくなるという明らかな利点を有している。
【００２１】
本発明の概念を実施すれば、きわめて長いＨＲＴＦの使用が可能となる。そのため、多チャンネル信号のパラメトリックダウンミックスの表現に基づくヘッドホン用ダウンミックス信号の優れた知覚品質を有する再生が可能となる。
【００２２】
さらに、本発明の概念をクロストーク打ち消しフィルタについて使用することで、多チャンネル信号のパラメトリックダウンミックスの表現に基づき、標準的な２スピーカ環境において使用されるべき空間ステレオ・ダウンミックスの優れた知覚品質を有する生成が可能となる。
【００２３】
本発明の復号化の概念のさらなる１つの大きな利点は、本発明の概念を実現する本発明のバイノーラル復号器をだた一つ使用することで、バイノーラルダウンミックス及び伝送されたダウンミックスの多チャンネルの再生を、追加的に伝送された空間パラメータを考慮に入れながら導出できるようになる点にある。
【００２４】
本発明の一実施の形態においては、本発明のバイノーラル復号器は、サブバンドドメインにおける多チャンネル信号のダウンミックスの表現を導出するための分析フィルタバンクと、修正ＨＲＴＦの計算を実行する本発明の復号器とを有している。このバイノーラル復号器は合成フィルタバンクをさらに有し、この合成フィルタバンクは、任意の従来からのオーディオ再生装置によってすぐに再生できるヘッドホン用ダウンミックス信号の時間ドメインの表現を最終的に導出する。
【００２５】
以下の段落では、本発明の概念の大きな利点をより明確に描き出すために、従来技術のパラメトリック多チャンネル復号化の仕組み及びバイノーラル復号化の仕組みを添付の図面を参照してさらに詳しく説明する。
【００２６】
以下で詳述される本発明の実施の形態の大部分は、ＨＲＴＦを使用する本発明の概念を説明している。既に述べたように、ＨＲＴＦ処理は、クロストーク打ち消しフィルタの仕様に類似している。したがって、すべての実施の形態は、ＨＲＴＦ処理及びクロストーク打ち消しフィルタに言及しているものとして理解すべきである。換言すると、以下において、すべてのＨＲＴＦフィルタをクロストーク打ち消しフィルタで置き換えて、本発明の概念をクロストーク打ち消しフィルタの使用へと適用することが可能である。
【発明を実施するための最良の形態】
【００２７】
次に、本発明の好ましい実施の形態を、添付の図面を参照することによって説明する。
【００２８】
後述される実施の形態は、変形ＨＲＴＦフィルタ処理による多チャンネル信号のバイノーラル復号化のための本発明の原理のあくまで例示にすぎない。本明細書に記載される構成及び細部の変更並びに変形が、当業者にとって明らかであることを理解すべきである。したがって、本発明は特許請求の範囲の技術的範囲によってのみ限定され、本明細書の実施の形態の記載及び説明によって提示される具体的な詳細に限定されるわけではない。
【００２９】
本発明の特徴及び利点を概説するために、以下で従来技術をさらに詳しく説明する。
【００３０】
従来のバイノーラル合成アルゴリズムが図１に概説されている。一組の入力チャンネル（左前（ＬＦ）、右前（ＲＦ）、左サラウンド（ＬＳ）、右サラウンド（ＲＳ）、及び中央（Ｃ））１０ａ、１０ｂ、１０ｃ、１０ｄ、及び１０ｅが、一組のＨＲＴＦ１２ａ〜１２ｊによってフィルタ処理される。各入力信号は２つの信号成分（左「Ｌ」及び右「Ｒ」成分）に分割され、その後、これらの信号成分のそれぞれが所望のサウンド位置に対応するＨＲＴＦによってフィルタ処理される。最後に、すべての左耳信号が加算器１４ａによって合計され、左バイノーラル出力信号Ｌが生成される。右耳信号は加算器１４ｂによって合計され、右バイノーラル出力信号Ｒが生成される。ＨＲＴＦのたたみ込みは、基本的には時間ドメインにおいて実行することができるが、多くの場合、演算効率の向上のために、周波数ドメインにおいてフィルタ処理を実行することが好ましい。すなわち、図１に示した合計は、周波数ドメインにおいても実行され得るが、この場合、その後の時間ドメインへの変換が追加的に必要となる。
【００３１】
図１ｂは、標準的なステレオ再生環境の２つのスピーカのみを使用して空間的リスニングの印象を達成するように意図されたクロストーク打ち消し処理を示している。
【００３２】
この処理の目的は、２つのスピーカ１６ａ及び１６ｂしか持たないステレオ再生システムを使用して、聴取者１８が空間的な聴取体験が得られるように多チャンネル信号を再生することにある。ヘッドホンによる再生との主たる相違は、両方のスピーカ１６ａ及び１６ｂからの信号が聴取者１８の両耳へと直接的に到達する点にある。したがって、破線で示されている信号（クロストーク）を追加的に考慮に入れなければならない。
【００３３】
説明を簡単にするために、図１ｂには、３つのソース２０ａ〜２０ｃを有する３チャンネルの入力信号のみが示されている。本シナリオを、原理的には任意の数のチャンネルへと拡張できることは言うまでもない。
【００３４】
再生すべきステレオ信号を導出するために、それぞれの入力ソースが、クロストーク打ち消しフィルタ２１ａ〜２１ｆのうちの２つ（再生信号の各チャンネルにつき１つのフィルタ）によって処理される。最後に、左再生チャンネル１６ａ及び右再生チャンネル１６ｂについて、フィルタ処理後のすべての信号が再生のために合計される。クロストーク打ち消しフィルタが、通常は（所望の知覚位置に依存して）各ソース２０ａ及び２０ｂごとに異なり、さらには聴取者に依存することさえありうることは、明らかである。
【００３５】
本発明の概念は柔軟性がきわめて高いので、フィルタをそれぞれの用途又は再生装置について個々に最適化できるよう、クロストーク打ち消しフィルタの設計及び適用においても高い柔軟性をもつことができ、有利である。さらなる利点は、この方法がわずか２つの合成フィルタバンクしか必要としないため、演算に関してきわめて効率的である点にある。
【００３６】
空間オーディオ符号器の原理的な略図が図２に示されている。このような基本的な符号化のシナリオにおいて、空間オーディオ符号器４０は、空間符号器４２とダウンミックス符号器４４とマルチプレクサ４６とを備えている。
【００３７】
多チャンネル入力信号５０が空間符号器４２によって分析され、多チャンネル入力信号の空間特性を記述する空間パラメータであって復号器側へと伝達されるべき空間パラメータが抽出される。空間符号器４２によって生成されるダウンミックス信号は、例えば、種々の符号化のシナリオに応じて、モノラル又はステレオ信号であってもよい。次いで、ダウンミックス符号器４４は、任意の従来からのモノラル又はステレオのオーディオ符号化の仕組みを使用して、モノラル又はステレオ・ダウンミックス信号を符号化する。マルチプレクサ４６は、空間パラメータ及び符号化後のダウンミックス信号を出力ビットストリームへと結合することで、出力ビットストリームを生成する。
【００３８】
図３は、図２の符号器及び例えば図１に概説したようなバイノーラル合成方法に対応する多チャンネル復号器について考えられる直接の組み合わせを示している。図から分かるように、特徴を組み合わせる点に関しては、従来技術の手法は単純かつ簡素である。この構成は、デマルチプレクサ６０、ダウンミックス復号器６２、空間復号器６４、及びバイノーラル合成器６６を備えている。入力ビットストリーム６８が分離され、空間パラメータ７０とダウンミックス信号ビットストリームとが得られる。後者のダウンミックス信号ビットストリームが、従来からのモノラル又はステレオ復号器を使用するダウンミックス復号器６２によって復号化される。復号化されたダウンミックスは空間パラメータ７０と一緒に空間復号器６４へと入力され、空間復号器６４は空間パラメータ７０によって示された空間特性を有する多チャンネル出力信号７２を生成する。多チャンネル信号７２を完全に再生した後に、図１のバイノーラル合成の概念を実施すべくバイノーラル合成器６６を追加する手法は、単純である。すなわち、多チャンネル出力信号７２がバイノーラル合成器６６の入力として使用され、バイノーラル合成器６６が多チャンネル出力信号を処理して、結果としてのバイノーラル出力信号７４を導出する。しかし、図３に示した手法は、少なくとも３つの欠点を有している。
・中間工程として、完全な多チャンネル信号の表現を演算しなければならず、その後にバイノーラル合成においてＨＲＴＦのたたみ込み及びダウンミキシングが行われる。ＨＲＴＦのたたみ込みはチャンネルごとに実行されなければならないが、それぞれのオーディオチャンネルが異なる空間位置を有する可能性があるため、複雑さの観点から望ましくない。すなわち、演算の複雑性が高く、エネルギーが浪費される。
・空間復号器は、フィルタバンク（ＱＭＦ）ドメインで動作する。他方で、ＨＲＴＦのたたみ込みは、典型的にはＦＦＴドメインにて適用される。したがって、多チャンネルＱＭＦ合成フィルタバンク、多チャンネルＤＦＴ変換、及びステレオ逆ＤＦＴ変換のカスケードが必要であり、結果として多大な演算を必要とするシステムとなる。
・多チャンネルの再生を生成するための空間復号器によって生成される符号化アーチファクトが可聴となり、恐らく（ステレオ）バイノーラル出力において強調されるであろう。
【００３９】
多チャンネルの符号化及び復号化について、さらに詳細な説明が図４及び図５に提示される。
【００４０】
図４に示した空間符号器１００は、第１のＯＴＴ（２→１の符号器）１０２ａ、第２のＯＴＴ１０２ｂ、及びＴＴＴボックス（３→２の符号器）１０４を備えている。ＬＦ、ＬＳ、Ｃ、ＲＦ、ＲＳ（左前、左サラウンド、中央、右前、及び右サラウンド）チャンネルで構成された多チャンネル入力信号１０６が、空間符号器１００によって処理される。ＯＴＴボックスは、それぞれ２つの入力オーディオチャンネルを受け取り、１つのモノラルオーディオ出力チャンネル及び関連する空間パラメータを導出し、各パラメータは、元のチャンネルの相互の空間特性又は出力チャネルに関する空間特性についての情報を有している（例えばＣＬＤ、ＩＣＣパラメータ）。符号器１００において、ＬＦ及びＬＳチャンネルはＯＴＴ符号器１０２ａによって処理され、ＲＦ及びＲＳチャンネルはＯＴＴ符号器１０２ｂによって処理される。２つの信号Ｌ及びＲが生成され、一方は左側についての情報のみを有し、他方は右側についての情報のみを有する。信号Ｌ、Ｒ、及びＣが、ＴＴＴ符号器１０４によってさらに処理され、ステレオ・ダウンミックス及び追加のパラメータが生成される。
【００４１】
ＴＴＴ符号器から得られるパラメータは、典型的には、各パラメータ・バンドについての予測係数のペア又は３つの入力信号のエネルギー比を記述するためのレベル差のペアで構成されている。「ＯＴＴ」符号器のパラメータは、各周波数帯についての入力信号の間のレベル差及びコヒーレンス又は相関値で構成されている。
【００４２】
この空間符号器１００の概略図は、符号化の際のダウンミックス信号の個々のチャンネルの順次処理を提示しているが、符号器１００のすべてのダウンミキシング処理をただ１つの行列演算において実施することも可能である。
【００４３】
図５は、図４の符号器によってもたらされるダウンミックス信号及び対応する空間パラメータを入力として受け取る、空間復号器を示している。
【００４４】
空間復号器１２０は、２→３の復号器１２２及び１→２の復号器１２４ａ〜１２４ｃを備えている。ダウンミックス信号Ｌ0及びＲ0が２→３の復号器１２２へと入力され、２→３の復号器１２２が中央チャンネルＣ、右チャンネルＲ、及び左チャンネルＬを再生する。これら３つのチャンネルが、ＯＴＴ復号器１２４ａ〜１２４ｃによってさらに処理され、６つの出力チャネルが得られる。低周波強化チャンネルＬＦＥの導出は必須ではなく、図５に示したサラウンド復号器１２０において１つのＯＴＴ符号器を節約できるよう、低周波強化チャンネルＬＦＥを省略してもよい。
【００４５】
本発明の一実施の形態によれば、本発明の概念が図６に示したような復号器に適用される。本発明の復号器２００は、２→３の復号器１０４及び６つのＨＲＴＦフィルタ１０６ａ〜１０６ｆを備えている。ステレオ入力信号（Ｌ0、Ｒ0）がＴＴＴ復号器１０４によって処理され、３つの信号Ｌ、Ｃ及びＲが導出される。このＴＴＴ復号器は図５に示した復号器と同じであってよく、したがってサブバンド信号について動作できるため、ステレオ入力信号はサブバンド・ドメインにおいて入力されると仮定していることに注目すべきである。信号Ｌ、Ｒ及びＣに対して、ＨＲＴＦフィルタ１０６ａ〜１０６ｆによってＨＲＴＦパラメータ処理が適用される。
【００４６】
この処理の結果として得られる６つのチャンネルが合計され、ステレオ・バイノーラル出力ペア（Ｌb、Ｒb）が生成される。
【００４７】
ＴＴＴ復号器１０６を、以下の行列演算
【数１】
2009531886.tif 000003
として記述することができる。ここで、行列の各エントリｍxyは、空間パラメータに依存する。空間パラメータ及び行列のエントリの関係は、５．１多チャンネルＭＰＥＧサラウンド復号器におけるそれらの関係と同一である。結果として得られる３つの信号Ｌ、Ｒ及びＣのそれぞれが２つに分割され、それらの音源の所望の（知覚される）位置に対応するＨＲＴＦパラメータで処理される。中央のチャンネル（Ｃ）については、音源位置の空間パラメータを直接的に適用することができ、中央についての２つの出力信号ＬB（Ｃ）及びＲB（Ｃ）が次式により得られる。
【数２】
2009531886.tif 000004
【００４８】
左（Ｌ）チャンネルについては、左前及び左サラウンドの各チャンネルからのＨＲＴＦパラメータが、重みｗlf及びｗlsを使用して単一のＨＲＴＦパラメータセットへと結合される。結果として得られる「複合」ＨＲＴＦパラメータは、統計的な意味で、前及びサラウンドの両チャンネルの影響を模擬している。左チャンネルについてのバイノーラル出力ペア（ＬB、ＲB）を生成するために、以下の式が使用される。
【数３】
2009531886.tif 000005
【００４９】
同様の方法で、右チャンネルについてのバイノーラル出力を次式に従って得る。
【数４】
2009531886.tif 000006
【００５０】
上述のようにＬB（Ｃ）、ＲB（Ｃ）、ＬB（Ｌ）、ＲB（Ｌ）、ＬB（Ｒ）、及びＲB（Ｒ）を定義する場合、完成するＬB及びＲB信号は、与えられたステレオ入力信号に関し、次の２×２の行列から導出することができる。
【数５】
2009531886.tif 000007
ここで、
ｈ11＝ｍ11ＨL（Ｌ）＋ｍ21ＨL（Ｒ）＋ｍ31ＨL（Ｃ）
ｈ12＝ｍ12ＨL（Ｌ）＋ｍ22ＨL（Ｒ）＋ｍ32ＨL（Ｃ）
ｈ21＝ｍ11ＨR（Ｌ）＋ｍ21ＨR（Ｒ）＋ｍ31ＨR（Ｃ）
ｈ22＝ｍ12ＨR（Ｌ）＋ｍ22ＨR（Ｒ）＋ｍ32ＨR（Ｃ）
である。
【００５１】
上記において、Ｙ＝Ｌ0，Ｒ0及びＸ＝Ｌ，Ｒ，ＣについてのＨY（Ｘ）要素は、複素スカラーであると仮定されている。しかしながら、本発明は、任意の長さのＨＲＴＦフィルタを取り扱うべく、２×２行列のバイノーラル復号器の手法を拡張するための方法を教示する。この方法を達成するため、本発明は以下の工程を備えている。
・ＨＲＴＦフィルタ応答をフィルタバンクドメインへと変換する。
・全体としての遅延差又は位相差をＨＲＴＦフィルタペアから抽出する。
・ＨＲＴＦフィルタペアの応答をＣＬＤパラメータの関数として変形させる。
・ゲインを調節する。
【００５２】
上述の方法は、Ｙ＝Ｌ0，Ｒ0及びＸ＝Ｌ，Ｒ，Ｃについての６つの複素ゲインＨY（Ｘ）を６つのフィルタで置き換えることによって達成される。これらのフィルタは、ＱＭＦドメインにおける所定のＨＲＴＦフィルタ応答を記述するＹ＝Ｌ0，Ｒ0及びＸ＝Ｌｆ，Ｌｓ，Ｒｆ，Ｒｓ，Ｃについての１０個のフィルタＨY（Ｘ）から導出される。これらのＱＭＦ表現は、以下の段落のうちの１つに記載される方法に従って達成できる。
【００５３】
換言すると、本発明は、修正ＨＲＴＦを導出するための概念を、次式による複素線形結合を用いた、前及びサラウンドのチャンネル・フィルタの修正（変形）によるものとして教示する。
【数６】
2009531886.tif 000008
【００５４】
上記式から分かるとおり、修正ＨＲＴＦの導出は、元のＨＲＴＦの重み付けの重ね合わせに位相の要因を適用したものである。重みｗs、ｗfは、図５のＯＴＴ復号器１２４ａ及び１２４ｂによって使用されるように意図されたＣＬＤパラメータに依存する。
【００５５】
重みｗlf及びｗlsは、次式に示すように、Ｌｆ及びＬｓについての「ＯＴＴ」ボックスのＣＬＤパラメータに依存する。
【数７】
2009531886.tif 000009
【００５６】
重みｗrf及びｗrsは、次式に示すように、Ｒｆ及びＲｓについての「ＯＴＴ」ボックスのＣＬＤパラメータに依存する。
【数８】
2009531886.tif 000010
【００５７】
前及び後ろのＨＲＴＦフィルタの間の主遅延時間差τXYならびにＱＭＦバンクのサブバンドインデックスｎから、位相パラメータφXYを次式により導出できる。
【数９】
2009531886.tif 000011
【００５８】
フィルタの変形におけるこの位相パラメータの役割は２つある。第１に、重ね合わせに先立って２つのフィルタの遅延の補償を実現し、前方及び後方のスピーカの間のソース位置に対応する主遅延時間をモデル化する組み合わせの応答をもたらす。第２に、必要なゲイン補償係数ｇを、φXY＝０の単純な重ね合わせの場合に比べて、周波数に対してはるかに安定かつゆっくりと変化するようにする。
【００５９】
ゲイン係数ｇは、非コヒーレントな加算パワー規則
【数１０】
2009531886.tif 000012
によって決定され、ここで
【数１１】
2009531886.tif 000013
であり、ρXYは、フィルタ
exp(−jφXY)ＨY（Ｘｆ）及びＨY（Ｘｓ）
の間の正規化された複素相関の実数値である。
【００６０】
上記式において、Ｐは、インデックスによって特定されるフィルタのインパルス応答について周波数帯ごとの平均レベルを記述するパラメータを示す。この式は、当然ながら、フィルタの応答関数を知ることができさえすれば、強度を容易に導出できることを意味する。
【００６１】
φXY＝０での単純な重ね合わせの場合においては、ρXYの値が周波数の関数として不規則かつ振動する様相で変化するので、大規模なゲインの調節が必要になる。実際の実施においては、ゲインｇの値を制限する必要があり、しかも信号の残るスペクトルのカラライゼーションを回避することができない。
【００６２】
これとは対照的に、本発明によって教示されるような遅延ベースの位相補償による変形の使用は、周波数の関数としてのρXYの滑らかな挙動につながる。このρXYの値は、普通に測定されたＨＲＴＦが使用される時、１に近くなることもしばしばである。なぜならば、これらＨＲＴＦは主に遅延及び振幅において相違しており、位相パラメータの目的がＱＭＦフィルタバンクドメインにおいて遅延の差を考慮することにあるためである。
【００６３】
本発明によって教示される位相パラメータφXYの別の有益な選択は、フィルタ
ＨY（Ｘｆ）及びＨY（Ｘｓ）
の間の正規化複素相関の位相角、及び標準的なアンラッピング技法による位相値のアンラッピングによって、ＱＭＦバンクのサブバンドインデックスｎの関数として与えられる。この選択は、ρXYが決して負にならず、したがって補償ゲインｇがすべてのサブバンドについて、
【数１２】
2009531886.tif 000014
を満足するという結果を有している。さらに、この位相パラメータの選択は、主遅延時間差τXYが入手できない状況において、前及びサラウンド・チャンネルのフィルタの変形を可能にする。
【００６４】
上述のとおり、本発明の実施の形態において、ＨＲＴＦをＱＭＦドメインにおけるＨＲＴＦフィルタの効率的な表現へと正確に変換することが教示された。
【００６５】
図７は、時間ドメインのフィルタを、再生される信号に関して同じ正味の効果を有しているサブバンドドメインのフィルタへと正確に変換するための概念について、原理的な略図を示している。図７は、複素分析バンク３００と、この分析バンク３００に対応する合成バンク３０２と、フィルタ変換器３０４と、サブバンドフィルタ３０６とを示している。
【００６６】
入力信号３１０が供給され、この入力信号３１０について、所望の特性を有するフィルタ３１２が知られている。フィルタ変換器３０４の実装の目的は、分析フィルタバンク３００による分析ならびにその後のサブバンドフィルタ処理３０６及び合成３０２の後で、出力信号３１４が、時間ドメインにおいてフィルタ３１２によってフィルタ処理された場合に有するであろう特徴と同じ特徴を有することにある。使用されるサブバンドの数に対応する数のサブバンドフィルタを提供するタスクが、フィルタ変換器３０４によって実行される。
【００６７】
以下の説明は、複素ＱＭＦサブバンドドメインにおいて所定のＦＩＲフィルタｈ（ｖ）を実施するための方法を概説している。動作の原理は、図７に示されている。
【００６８】
ここで、サブバンドフィルタ処理は、単純に各サブバンドｎ＝０,１，...，Ｌ−１について１つの複素値のＦＩＲフィルタを適用して、以下の式
【数１３】
2009531886.tif 000015
に従って元のインデックスｃnをフィルタ処理後の対応値ｄnへと変換することである。
【００６９】
この変換処理方法は、臨界的にサンプリングされたフィルタバンクのために開発された周知の方法とは異なることに留意すべきである。なぜなら、これら周知の方法は、より長い応答を伴うマルチバンドのフィルタ処理を必要とするからである。本件の重要な構成要素は、いかなる時間ドメインのＦＩＲフィルタをも複素サブバンドドメインのフィルタへと変換するフィルタ変換器である。複素ＱＭＦサブバンドドメインはオーバーサンプリングされているため、所定の時間ドメインフィルタのためのサブバンドフィルタの標準的なセットは存在しない。異なるサブバンドフィルタでも、時間ドメイン信号では同じ正味の効果を有することができる。以下に記述する内容は、フィルタ変換器をＱＭＦに類似する複素分析バンクであるように限定することによって得られる、きわめて効果的な近似の解決策である。
【００７０】
フィルタ変換器プロトタイプの長さが６４ＫQであると仮定した場合、実数６４ＫHタップ・ＦＩＲフィルタが６４個の複素ＫH＋ＫQ−１タップ・サブバンドフィルタからなるセットへと変換される。ＫQ＝３においては、１０２４タップのＦＩＲフィルタが、５０ｄＢの近似品質にて１８タップのサブバンドフィルタ処理へと変換される。
【００７１】
サブバンドフィルタのタップは、次式
【数１４】
2009531886.tif 000016
から演算され、ここでｑ（ｖ）は、ＱＭＦプロトタイプフィルタから導出されるＦＩＲプロトタイプフィルタである。式から分かるとおり、これは、まさに当該のフィルタｈ（ｖ）の複素フィルタバンク分析である。
【００７２】
以下に、本発明の概念を、５つのチャンネルを有する多チャンネル信号の多チャンネルパラメータ表現を利用することができる本発明のさらなる実施の形態について概説する。本発明のこの特定の実施の形態において、１０個の元のＨＲＴＦフィルタＶY,X（例えば、図１のフィルタ１２ａ〜１２ｊのＱＭＦ表現によって与えられるような）が、Ｙ＝Ｌ，Ｒ及びＸ＝Ｌ，Ｒ，Ｃについての６つのフィルタｈY,Xへと変形されることに注目されたい。
【００７３】
Ｙ＝Ｌ，Ｒ及びＸ＝ＦＬ，ＢＬ、ＦＲ，ＢＲ、Ｃについての１０個のフィルタＶY,Xが、ハイブリッドＱＭＦドメインにおける当該のＨＲＴＦフィルタ応答を記述している。
【００７４】
前及びサラウンドのチャンネルフィルタの結合は、次の複素線形結合によって実行される。
【数１５】
2009531886.tif 000017
【００７５】
ゲイン係数ｇL,L,ｇL, R,ｇR,L,ｇR, Rは、次式によって決定される。
【数１６】
2009531886.tif 000018
【００７６】
パラメータ
【数１７】
2009531886.tif 000019
及び位相パラメータφは、以下のように定められる。
【００７７】
ＨＲＴＦフィルタのハイブリッドバンドごとの平均の前／後のレベルの商が、Ｙ＝Ｌ，Ｒ及びＸ＝Ｌ，Ｒについて、次式によって定められる。
【数１８】
2009531886.tif 000020
【００７８】
さらに、位相パラメータ
【数１９】
2009531886.tif 000021
が、Ｙ＝Ｌ，Ｒ及びＸ＝Ｌ，Ｒについて、
【数２０】
2009531886.tif 000022
によって定められ、ここで複素相関（ＣＩＣY,X）kは次式により定められる。
【数２１】
2009531886.tif 000023
【００７９】
サブバンドｋからサブバンドｋ＋1への位相インクリメントの絶対値がｋ＝０,１，...についてπ以下であるように、位相アンラッピングがサブバンドインデックスｋに沿って位相パラメータへと適用される。このインクリメントについて±πという２つの選択肢が存在する場合には、間隔［−π, π］における位相値についてのインクリメントの正負符号が選択される。
【００８０】
最後に、Ｙ＝Ｌ，Ｒ及びＸ＝Ｌ，Ｒについて、正規化された位相補償済の相関が次式によって定められる。
【数２２】
2009531886.tif 000024
【００８１】
多チャンネル処理がハイブリッド・サブバンド・ドメイン、すなわちサブバンドが種々の周波数帯へとさらに分割されたドメインにおいて実行される場合、ＨＲＴＦ応答のハイブリッド・バンド・フィルタへのマッピングを、例えば以下のように実行できることに注意されたい。
【００８２】
ハイブリッドフィルタバンクのない場合と同様、ソースＸ＝ＦＬ，ＢＬ、ＦＲ，ＢＲ、ＣからターゲットＹ＝Ｌ，Ｒへの１０個の当該のＨＲＴＦインパルス応答がすべて、上記概説した方法に従って、ＱＭＦサブバンドフィルタへと変換される。結果は、ＱＭＦサブバンドｍ＝０,１，...,６３及びＱＭＦ時間スロットｌ＝０,１，...,Ｌq−１について成分
【数２３】
2009531886.tif 000025
を有する１０個のサブバンドフィルタ
【数２４】
2009531886.tif 000026
である。ハイブリッドバンドｋからＱＭＦバンドｍへのインデックスマッピングを、ｍ＝Ｑ(ｋ)によって表わすことにする。
【００８３】
次いで、ハイブリッド・バンド・ドメインのＨＲＴＦフィルタＶY,Xが、
【数２５】
2009531886.tif 000027
によって定められる。
【００８４】
前の段落で説明された具体的な実施の形態において、ＨＲＴＦフィルタのＱＭＦドメインへのフィルタ変換は、長さＮhのＦＩＲフィルタｈ(ｖ)が複素ＱＭＦサブバンドドメインへと変換される場合、以下のように実施することができる。
【００８５】
サブバンドフィルタ処理は、それぞれのＱＭＦサブバンドｍ＝０,１，...,６３に対して各１つの複素値ＦＩＲフィルタｈm（ｌ）を個別に適用することで構成される。鍵となる構成要素は、所定の時間ドメインＦＩＲフィルタｈ（ｖ）を複素サブバンド・ドメイン・フィルタｈm（ｌ）へと変換するフィルタ変換器である。フィルタ変換器は、ＱＭＦ分析バンクに類似する複素分析バンクである。プロトタイプフィルタｑ（ｖ）の長さは１９２である。時間ドメインＦＩＲフィルタのゼロを用いた拡張は、次式で定められる。
【数２６】
2009531886.tif 000028
【００８６】
次いで、長さＬq＝Ｋh＋２（ここで、Ｋh＝［Ｎh／６４］）のサブバンド・ドメイン・フィルタが、ｍ＝０,１，...,６３及びｌ＝０,１，..., Ｋh＋１について、
【数２７】
2009531886.tif 000029
によって与えられる。
【００８７】
本発明の概念を、２つのチャンネルを有するダウンミックス信号、すなわち伝送されたステレオ信号に関して詳述したが、本発明の概念の適用は決してステレオダウンミックス信号を有するシナリオに限定されない。
【００８８】
要約すると、本発明は、パラメトリック多チャンネル信号のバイノーラル表現のために長いＨＲＴＦ又はクロストーク打ち消しフィルタを使用するという問題に関する。本発明は、パラメトリックＨＲＴＦの手法を任意の長さのＨＲＴＦフィルタへと拡張する新規な手法を教示する。
【００８９】
本発明は、以下の特徴を有している。
・ステレオダウンミックス信号に、各行列要素が任意の長さ（ＨＲＴＦフィルタによって与えられるとおり）のＦＩＲフィルタである２×２の行列を乗算する。
・伝送された多チャンネルパラメータに基づいて元のＨＲＴＦフィルタを変形することによって、フィルタを２×２の行列にて導出する。
・正しいスペクトルエンベロープ及び全体エネルギーが得られるように、ＨＲＴＦフィルタの変形を計算する。
【００９０】
図８は、ヘッドホン用ダウンミックス信号を導出するための本発明の復号器３００について、一例を示している。この復号器は、フィルタ計算器３０２及び合成器３０４を備えている。フィルタ計算器は、第１の入力としてレベルパラメータ３０６を、第２の入力としてＨＲＴＦ（頭部伝達関数）３０８を受信し、修正ＨＲＴＦ３１０を導出する。この修正ＨＲＴＦ３１０は、サブバンドドメインの信号に適用されたときの信号に対する正味の効果が、頭部伝達関数３０８を時間ドメインにおいて適用する場合と同じである。修正ＨＲＴＦ３１０は合成器３０４への第１の入力として機能し、合成器３０４は、第２の入力としてサブバンドドメインにおけるダウンミックス信号３１２の表現を受信する。このダウンミックス信号３１２の表現は、パラメトリック多チャンネル符号器によって導出され、多チャンネル復号器による完全な多チャンネル信号の再生のための基礎として使用されるように意図されたものである。このようにして、合成器３０４が、修正ＨＲＴＦ３１０及びダウンミックス信号３１２の表現を使用して、ヘッドホン用ダウンミックス信号３１４を導出できる。
【００９１】
ＨＲＴＦを、例えばフィルタに関する伝達関数、フィルタのインパルス応答、あるいはＦＩＲフィルタの一連のタップ係数などとして、任意の可能なパラメータ表現にて供給できる。
【００９２】
上述の例は、ダウンミックス信号の表現がフィルタバンク表現として、すなわちフィルタバンクによって導出されたサンプルとして供給されていることを前提としている。しかしながら、実際の適用においては、単純な再生環境においても与えられた信号から直接的に再生できるように、時間ドメインのダウンミックス信号が供給及び伝送される。したがって、図９に示す本発明のさらなる実施の形態においては、バイノーラル互換の復号器４００が、分析フィルタバンク４０２及び合成フィルタバンク４０４、ならびに例えば図８の復号器３００であってよい本発明の復号器を備えている。復号器の機能及びそれらの説明は、図８と同様に図９にも適用でき、したがって復号器３００の説明は、以下の段落では省略される。
【００９３】
分析フィルタバンク４０２が、多チャンネルパラメトリック符号器によって作成された多チャンネル信号のダウンミックス４０６を受信する。分析フィルタバンク４０２は、受信したダウンミックス信号４０６のフィルタバンク表現を導出し、次いでこれが復号器３００へと入力され、復号器３００がヘッドホン用ダウンミックス信号４０８を導出するが、依然としてフィルタバンクドメイン内にある。すなわち、ダウンミックスは、分析フィルタバンク４０２によって導入された周波数帯域内の多数のサンプル又は係数によって表わされている。したがって、時間ドメインの最終的なヘッドホン用ダウンミックス信号４１０をもたらすために、ヘッドホン用ダウンミックス信号４０８が合成フィルタバンク４０４へと入力され、この合成フィルタバンク４０４は、ステレオ再生装置によってすぐに再生できるヘッドホン用ダウンミックス信号４１０を導出する。
【００９４】
図１０は、本発明のオーディオ復号器５０１と、ビットストリーム入力５０２と、オーディオ出力５０４とを備えた本発明の受信器又はオーディオプレーヤ５００を示す。
【００９５】
ビットストリームを、本発明の受信器／オーディオプレーヤ５００の入力５０２に入力することができる。次いで、このビットストリームが復号器５０１によって復号化され、復号化された信号が本発明の受信器／オーディオプレーヤ５００の出力５０４から出力され、あるいは再生される。
【００９６】
以上の段落では、伝送されたステレオダウンミックスに依存して本発明の概念を実施するための例を示したが、本発明の概念は、ただ１つのモノラル・ダウンミックス・チャンネル又は３つ以上のダウンミックスチャンネルに基づく構成にも適用可能である。
【００９７】
本発明の説明において、頭部伝達関数のサブバンドドメインへの変換について、１つの特定の実例を提示した。しかしながら、サブバンドフィルタを導出する他の技法も、本発明の概念を限定することなく使用することができる。
【００９８】
修正ＨＲＴＦの導出において導入される位相係数を、これまでに提示した演算以外の他の演算によって導出することも可能である。すなわち、それらの係数を他の方法で導出したとしても、本発明の技術的範囲を限定することにはならない。
【００９９】
本発明の概念を、特にＨＲＴＦ及びクロストーク打ち消しフィルタについて示したが、高品質のステレオ再生信号を演算に関して効率的に生成できるようにするために、多チャンネル信号の１つ以上の個々のチャンネルについて定められる他のフィルタについても使用可能である。さらに、フィルタは、聴取環境をモデル化するように意図されたフィルタのみに限定されない。例えば残響又は他のひずみフィルタなど、信号に「人工的」成分を加えるフィルタさえも使用可能である。
【０１００】
本発明の特定の実施の要件に応じて、本発明の方法をハードウェア又はソフトウェアに実装することができる。実装は、デジタル記憶媒体、特に電子的に読み取り可能な制御信号を自身に保存して有するディスク、ＤＶＤ又はＣＤを使用して実行可能であり、これらがプログラム可能なコンピュータシステムと協働して本発明の方法が実行される。したがって、本発明は、広義には、プログラムコードを機械で読み取ることができるキャリア上に保存されたコンピュータプログラム製品であり、このコンピュータプログラム製品がコンピュータ上で動作するとき、プログラムコードが本発明の方法を実行すべく機能することができる。したがって、換言すると、本発明の方法は、プログラムコードを有するコンピュータプログラムであり、このコンピュータプログラムがコンピュータ上で動作するとき、プログラムコードが本発明の方法のうちの少なくとも１つを実行する。
【０１０１】
以上、本発明を特定の実施の形態を参照しつつ詳しく図示及び説明したが、本発明の技術的思想及び技術的範囲から離れることなく、形態及び細部について他にも様々な変更が可能であることを、当業者であれば理解できるであろう。本明細書に開示され以下の特許請求の範囲に包含される幅広い概念から離れることなく、様々な変更が種々の実施の形態への適合において可能であることを、理解すべきである。
【図面の簡単な説明】
【０１０２】
【図１】ＨＲＴＦを使用する従来のバイノーラル合成を示す図である。
【図１ｂ】クロストーク打ち消しフィルタの従来の使用を示す図である。
【図２】多チャンネル空間符号器の例を示す図である。
【図３】従来技術の空間／バイノーラル復号器の例を示す図である。
【図４】パラメトリック多チャンネル符号器の例を示す図である。
【図５】パラメトリック多チャンネル復号器の例を示す図である。
【図６】本発明の復号器の例を示す図である。
【図７】フィルタのサブバンドドメインへの変換の概念を説明するブロック図である。
【図８】本発明の復号器の例を示す図である。
【図９】本発明の復号器のさらなる例を示す図である。
【図１０】本発明の受信器又はオーディオプレーヤの例を示す図である。
【符号の説明】
【０１０３】
３００    復号器
３０２    フィルタ計算器
３０４    合成器
３０６    レベルパラメータ
３０８    ＨＲＴＦ（頭部伝達関数）
３１０    修正ＨＲＴＦ（修正頭部伝達関数）
３１２    ダウンミックスの表現
３１４    ヘッドホン用ダウンミックス信号
４００    バイノーラル復号器
４０２    分析フィルタバンク
４０４    合成フィルタバンク
４０６    多チャンネル信号のダウンミックス
４０８    ヘッドホン用ダウンミックス信号（フィルタバンクドメイン）
４１０    ヘッドホン用ダウンミックス信号（時間ドメイン）
５００    受信器又はオーディオプレーヤ
５０１    オーディオ復号器
５０２    ビットストリーム入力
５０４    オーディオ出力
【図１】
2009531886.tif 000034
【図１ｂ】
2009531886.tif 000035
【図２】
2009531886.tif 000036
【図３】
2009531886.tif 000037
【図４】
2009531886.tif 000038
【図５】
2009531886.tif 000039
【図６】
2009531886.tif 000040
【図７】
2009531886.tif 000041
【図８】
2009531886.tif 000042
【図９】
2009531886.tif 000043
【図１０】
2009531886.tif 000044
【手続補正書】
【提出日】平成20年11月7日(2008.11.7)
【手続補正１】
【補正対象書類名】明細書
【補正対象項目名】００４５
【補正方法】変更
【補正の内容】
【００４５】
本発明の一実施の形態によれば、本発明の概念が図６に示したような復号器に適用される。本発明の復号器２００は、２→３の復号器２０４及び６つのＨＲＴＦフィルタ２０６ａ〜２０６ｆを備えている。ステレオ入力信号（Ｌ0、Ｒ0）がＴＴＴ復号器２０４によって処理され、３つの信号Ｌ、Ｃ及びＲが導出される。このＴＴＴ復号器は図５に示した復号器と同じであってよく、したがってサブバンド信号について動作できるため、ステレオ入力信号はサブバンド・ドメインにおいて入力されると仮定していることに注目すべきである。信号Ｌ、Ｒ及びＣに対して、ＨＲＴＦフィルタ２０６ａ〜２０６ｆによってＨＲＴＦパラメータ処理が適用される。
【手続補正２】
【補正対象書類名】明細書
【補正対象項目名】００４７
【補正方法】変更
【補正の内容】
【００４７】
ＴＴＴ復号器２０４を、以下の行列演算
【数１】
2009531886.tif 000045
として記述することができる。ここで、行列の各エントリｍxyは、空間パラメータに依存する。空間パラメータ及び行列のエントリの関係は、５．１多チャンネルＭＰＥＧサラウンド復号器におけるそれらの関係と同一である。結果として得られる３つの信号Ｌ、Ｒ及びＣのそれぞれが２つに分割され、それらの音源の所望の（知覚される）位置に対応するＨＲＴＦパラメータで処理される。中央のチャンネル（Ｃ）については、音源位置の空間パラメータを直接的に適用することができ、中央についての２つの出力信号ＬB（Ｃ）及びＲB（Ｃ）が次式により得られる。
【数２】
2009531886.tif 000046
【手続補正３】
【補正対象書類名】明細書
【補正対象項目名】００６５
【補正方法】変更
【補正の内容】
【００６５】
図７は、時間ドメインのフィルタを、再生される信号に関して同じ正味の効果を有しているサブバンドドメインのフィルタへと正確に変換するための概念について、原理的な略図を示している。図７は、複素分析バンク２２０と、この分析バンク２２０に対応する合成バンク２２２と、フィルタ変換器２２４と、サブバンドフィルタ２２６とを示している。
【手続補正４】
【補正対象書類名】明細書
【補正対象項目名】００６６
【補正方法】変更
【補正の内容】
【００６６】
入力信号２３０が供給され、この入力信号２３０について、所望の特性を有するフィルタ２３２が知られている。フィルタ変換器２２４の実装の目的は、分析フィルタバンク２２０による分析ならびにその後のサブバンドフィルタ処理２２６及び合成２２２の後で、出力信号２３４が、時間ドメインにおいてフィルタ２３２によってフィルタ処理された場合に有するであろう特徴と同じ特徴を有するようにすることにある。使用されるサブバンドの数に対応する数のサブバンドフィルタを提供するタスクが、フィルタ変換器２２４によって実行される。
【手続補正５】
【補正対象書類名】図面
【補正対象項目名】図６
【補正方法】変更
【補正の内容】
【図６】
2009531886.tif 000047
【手続補正６】
【補正対象書類名】図面
【補正対象項目名】図７
【補正方法】変更
【補正の内容】
【図７】
2009531886.tif 000048
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
多チャンネル信号のダウンミックスの表現（３１２）と、前記多チャンネル信号の２つのチャンネル間のレベルの関係についての情報を有するレベルパラメータ（３０６）と、前記多チャンネル信号の前記２つのチャンネルに関する頭部伝達関数（３０８）とを使用して、ヘッドホン用ダウンミックス信号（３１４）を導出するための復号器であって、
前記レベルパラメータ（３０６）を使用して前記２つのチャンネルの頭部伝達関数（３０８）に対する重み付けと位相係数の適用とを実行することによって１つの修正頭部伝達関数（３１０）を導出するフィルタ計算器（３０２）であって、前記修正頭部伝達関数（３１０）が前記２つのチャンネルの低レベルのチャンネルの頭部伝達関数（３０８）よりも高レベルのチャンネルの頭部伝達関数（３０８）に強く影響されるように、かつ、前記２つのチャンネルの頭部伝達関数（３０８）の位相補償が達成された後で前記２つのチャンネルの重み付けされ位相補償された頭部伝達関数が結合されるように、前記修正頭部伝達関数（３１０）を導出するフィルタ計算器（３０２）と、
前記修正頭部伝達関数（３１０）と前記ダウンミックス信号の表現（３１２）とを使用して前記ヘッドホン用ダウンミックス信号（３１４）を導出する合成器（３０４）と、
を備えている復号器。
【請求項２】
前記低レベルのチャンネルの頭部伝達関数（３０８）が前記高レベルのチャンネルの頭部伝達関数（３０８）よりも２つのチャンネルの頭部伝達関数（３０８）の平均位相へと近くシフトされるように、２つのチャンネルの頭部伝達関数（３０８）に対して位相係数を適用することで、前記フィルタ計算器（３０２）が修正頭部伝達関数（３１０）を導出する、請求項１に記載の復号器。
【請求項３】
前記フィルタ計算器（３０２）は、導出される前記修正頭部伝達関数（３１０）の数が、前記２つのチャンネルに関する頭部伝達関数（３０８）の数よりも少なくなるように動作する、請求項１に記載の復号器。
【請求項４】
前記フィルタ計算器（３０２）は、前記ダウンミックス信号のフィルタバンク表現へと適用される前記修正頭部伝達関数（３１０）を導出する、請求項１に記載の復号器。
【請求項５】
フィルタバンクドメインにおいて導出された前記ダウンミックス信号の表現を使用するように構成されている、請求項１に記載の復号器。
【請求項６】
前記フィルタ計算器（３０２）は、４つ以上のパラメータによって特徴付けられる頭部伝達関数（３０８）を使用して修正頭部伝達関数（３１０）を導出する、請求項１に記載の復号器。
【請求項７】
前記フィルタ計算器（３０２）は、同じレベルパラメータ（３０６）を使用して前記２つのチャンネルの前記頭部伝達関数（３０８）のための重み付け係数を導出する、請求項１に記載の復号器。
【請求項８】
前記フィルタ計算器（３０２）は、第１のチャンネルｆのための第１の重み付け係数ｗlf及び第２のチャンネルｓのための第２の重み付け係数ｗlsを、レベルパラメータＣＬＤlを使用して以下の式
【数７】
2009531886.tif 000049
に従って導出する、請求項７に記載の復号器。
【請求項９】
前記フィルタ計算器（３０２）は、前記修正頭部伝達関数（３１０）を導出するときにエネルギーが保存されるように前記２つのチャンネルの頭部伝達関数（３０８）に対して共通のゲイン係数を適用することで前記修正頭部伝達関数（３１０）を導出する、請求項１に記載の復号器。
【請求項１０】
前記共通のゲイン係数が間隔
【数２８】
2009531886.tif 000050
の範囲内にある、請求項９に記載の復号器。
【請求項１１】
前記フィルタ計算器（３０２）は、前記２つのチャンネルの頭部伝達関数（３０８）のインパルス応答間の遅延時間を使用して前記位相係数を導出する、請求項２に記載の復号器。
【請求項１２】
前記フィルタ計算器（３０２）は、L個の周波数帯域を有するフィルタバンクドメインにおいて、前記遅延時間を使用してそれぞれの周波数帯域について個々の平均位相シフトを導出する、請求項１１に記載の復号器。
【請求項１３】
前記フィルタ計算器（３０２）が、３つ以上の周波数帯域を有するフィルタバンクドメインにおいて、前記遅延時間τXYを使用してそれぞれの周波数帯域nについて個々の位相パラメータφXYを、以下の式
【数９】
2009531886.tif 000051
に従って導出する、請求項１１に記載の復号器。
【請求項１４】
前記フィルタ計算器（３０２）が、第１及び第２のチャンネルの頭部伝達関数（３０８）のインパルス応答の間の正規化された複素相関の位相角を使用して、前記位相係数を導出する請求項２に記載の復号器。
【請求項１５】
前記２つのチャンネルのうちの第１のチャンネルが多チャンネル信号の左側又は右側の前チャンネルであり、前記２つのチャンネルのうちの第２のチャンネルが同じ側の後チャンネルである、請求項１に記載の復号器。
【請求項１６】
前記フィルタ計算器が、前記前チャンネルの頭部伝達関数ＨY(Ｘf)及び前記後チャンネルの頭部伝達関数ＨY(Ｘs)を使用し、以下の複素線形結合
【数６】
2009531886.tif 000052
を使用して前記修正頭部伝達関数ＨY(Ｘ)（３１０）を導出し、ここで、φXYは位相パラメータであり、ｗs及びｗfはレベルパラメータ（３０６）を使用して導出される重み付け係数であり、ｇはレベルパラメータ（３０６）を使用して導出される共通ゲイン係数である、請求項１５に記載の復号器。
【請求項１７】
左前、左サラウンド、右前、右サラウンド及び中央チャンネルを有する多チャンネル信号から導出された左及び右チャンネルを有するダウンミックス信号の表現（３１２）を使用する、請求項１に記載の復号器。
【請求項１８】
前記合成器が、前記多チャンネル信号のダウンミックスの表現（３１２）に対して、修正頭部伝達関数（３１０）の線形結合を適用することで、前記ヘッドホン用ダウンミックス信号（３１４）のチャンネルを導出する、請求項１に記載の復号器。
【請求項１９】
前記合成器が、前記レベルパラメータ（３０６）に依存する前記頭部伝達関数の線形結合のための係数を使用する、請求項１８に記載の復号器。
【請求項２０】
前記合成器（３０４）が、前記多チャンネル信号の追加の空間特性に関する追加の多チャンネルパラメータに依存する前記線形結合のための係数を使用する、請求項１８に記載の復号器。
【請求項２１】
請求項１に記載の復号器（３００）と、
多チャンネル信号のダウンミックス（４０６）のサブバンドフィルタ処理によって前記多チャンネル信号のダウンミックスの表現を導出するための分析フィルタバンク（４０２）と、
前記ヘッドホン用ダウンミックス信号（４０８）を合成することによって時間ドメインのヘッドホン信号（４１０）を導出するための合成フィルタバンク（４０４）と、
を備えているバイノーラル復号器。
【請求項２２】
多チャンネル信号のダウンミックスの表現（３１２）と、前記多チャンネル信号の２つのチャンネル間のレベルの関係についての情報を有するレベルパラメータ（３０６）と、前記多チャンネル信号の前記２つのチャンネルに関するクロストーク打ち消しフィルタとを使用して、空間ステレオダウンミックス信号を導出するための復号器であって、
前記レベルパラメータ（３０６）を使用して前記２つのチャンネルの前記クロストーク打ち消しフィルタに対する重み付けと位相係数の適用とを実行することによって１つの修正クロストーク打ち消しフィルタを導出するフィルタ計算器（３０２）であって、前記修正クロストーク打ち消しフィルタが前記２つのチャンネルの低レベルのチャンネルのクロストーク打ち消しフィルタよりも高レベルのチャンネルのクロストーク打ち消しフィルタに強く影響されるように、かつ、前記２つのチャンネルのクロストーク打ち消しフィルタ（３０８）の位相補償が達成された後で前記２つのチャンネルの重み付けされ位相補償されたクロストーク打ち消しフィルタが結合されるように、前記修正クロストーク打ち消しフィルタ（３１０）を導出するフィルタ計算器（３０２）と、
前記修正クロストーク打ち消しフィルタと前記ダウンミックス信号の表現（３１２）とを使用して前記空間ステレオダウンミックス信号を導出する合成器（３０４）と、
を備えている復号器。
【請求項２３】
多チャンネル信号のダウンミックスの表現（３１２）と、前記多チャンネル信号の２つのチャンネル間のレベルの関係についての情報を有するレベルパラメータ（３０６）と、多チャンネル信号の２つのチャンネルに関する頭部伝達関数（３０８）とを使用して、ヘッドホン用ダウンミックス信号（３１４）を導出する方法であって、
前記レベルパラメータ（３０６）を使用して前記２つのチャンネルの頭部伝達関数（３０８）に対する重み付けと位相係数の適用とを実行することによって１つの修正頭部伝達関数（３１０）を導出するステップであって、前記修正頭部伝達関数が前記２つのチャンネルの低レベルのチャンネルの頭部伝達関数よりも高レベルのチャンネルの頭部伝達関数に強く影響されるように、かつ、前記２つのチャンネルの頭部伝達関数（３０８）の位相補償が達成された後で前記２つのチャンネルの重み付けされ位相補償された頭部伝達関数が結合されるように、前記修正頭部伝達関数（３１０）を導出するステップと、
前記修正頭部伝達関数（３１０）と前記ダウンミックス信号の表現とを使用して前記ヘッドホン用ダウンミックス信号（３１４）を導出するステップと、
を含む方法。
【請求項２４】
ヘッドホン用ダウンミックス信号（３１４）を導出するための請求項１乃至２０に記載の復号器を備える受信器又はオーディオプレーヤ。
【請求項２５】
ヘッドホン用ダウンミックス信号（３１４）を導出するための請求項２３に記載の方法を含む、受信又はオーディオ再生の方法。
【請求項２６】
コンピュータ上で動作するときに、請求項２３又は２５に記載の方法を実行するプログラム・コードを有するコンピュータ・プログラム。
【国際調査報告】
2009531886.tif 000053
2009531886.tif 000054
2009531886.tif 000055